(57)【要約】【課題】メガネの鼻あての跡が残りにくい、メガネと脱着可能なメガネ補助具およびメガネを提供する。【解決手段】メガネ補助具１０は、メガネ１の弦３を挟持可能な挟持部１１と、メガネ１が掛けられる頭部側面と当接可能な当接部２９と、当接部２９と挟持部１１による弦３の挟持位置との距離を調整可能な調整部２１と、を備える。【選択図】図１
2020144290.tif 000002
【特許請求の範囲】
【請求項１】
メガネの弦を挟持可能な挟持部と、
前記メガネが掛けられる頭部側面と当接可能な当接部と、
前記当接部と前記挟持部による前記弦の挟持位置との距離を調整可能な調整部と、
を備えるメガネ補助具。
【請求項２】
前記挟持部は、第１の挟持片と第２の挟持片が略対向して前記弦を挟むことで挟持可能であり、
前記調整部は、一端が前記第１の挟持片と接続され、他端が前記当接部であり、前記挟持部と前記当接部の距離を前記第１の挟持片の延在する方向に対して略直交方向に調整可能とする請求項１記載のメガネ補助具。
【請求項３】
前記調整部は、雄ネジを有するシャフト部と、雌ネジを有するネジ穴部と、を備え、
前記シャフト部は前記当接部を備え、
前記ネジ穴部は一端が前記第１の挟持片と接続される請求項２に記載のメガネ補助具。
【請求項４】
前記第２の挟持片は、前記シャフト部が貫通可能な貫通孔を有する請求項３に記載のメガネ補助具。
【請求項５】
前記調整部は、ラックギアを有するラックバー部と、前記ラックギアと嵌合するロック部を有する移動部と、を備え、
前記ラックバー部は一端が前記第１の挟持片と接続され、
前記移動部は前記当接部を備える請求項２に記載のメガネ補助具。
【請求項６】
前記調整部は、一端が前記第１の挟持片と接続されるブロック支持部と、前記当接部を備える端部ブロックと、を備え、
前記ブロック支持部と、前記端部ブロックの間に１又は複数の中間ブロックを挿嵌可能とすることで、前記挟持部と前記当接部の距離を調整可能とする請求項２に記載のメガネ補助具。
【請求項７】
前記端部ブロックと前記中間ブロックは、磁力を有する永久磁石を含んで構成され、
前記端部ブロックと前記中間ブロックは、磁力により接続される請求項６に記載のメガネ補助具。
【請求項８】
前記調整部は、前記挟持部に接続されるベースロッドと、前記ベースロッドに嵌入される中間ロッドと、前記中間ロッドに嵌入される前記当接部を備える端部ロッドと、を備え、
前記ベースロッドと前記中間ロッドの嵌入量及び／又は前記中間ロッドと前記端部ロッドの嵌入量を変化させることで前記挟持部と前記当接部の距離を調整可能とする請求項２に記載のメガネ補助具。
【請求項９】
前記調整部は、パンタグラフ構造を有し、
前記パンタグラフ構造は、前記第１の挟持片と接続されるベース部と、前記当接部を有し、
前記ベース部から前記当接部に向かう方向に直交する方向のネジ機構を更に備え、当該ネジ機構の回転によって、前記パンタグラフ構造の形状を変化させることで前記挟持部と前記当接部の距離を調整可能とする請求項２に記載のメガネ補助具。
【請求項１０】
前記調整部は、第１のアームと、第２のアームと、前記第１のアームを前記第１の挟持片と可動可能に接続するアーム支持部と、前記第１のアームと前記第２のアームとを可動可能に接続するリンク機構を有する請求項２に記載のメガネ補助具。
【請求項１１】
前記挟持部は、第１の挟持片と第２の挟持片が略対向して前記弦を挟むことで挟持可能であり、
前記調整部は、前記第１の挟持片と前記第２の挟持片が前記弦を挟持する位置を変更することにより前記弦と前記当接部の距離を調整可能とする請求項１に記載のメガネ補助具。
【請求項１２】
前記第１の挟持片及び／又は第２の挟持片の先端部には、カバー部を備える請求項１１に記載のメガネ補助具。
【請求項１３】
前記当接部は、２以上の突起部を有する請求項１から１２のいずれか一項に記載のメガネ補助具。
【請求項１４】
前記当接部は、ゴム、発泡ポリウレタン、又はエラストマを含んで構成される請求項１から１３のいずれか一項に記載のメガネ補助具。
【請求項１５】
前記当接部は、永久磁石を含んで構成される請求項１から１４のいずれか一項に記載のメガネ補助具。
【請求項１６】
請求項１から１５のいずれか一項のメガネ補助具が装着されるメガネ。
【発明の詳細な説明】
【技術分野】
【０００１】
この発明は、メガネの弦に装着して側頭部でメガネを支持し、長時間使用してもメガネの鼻あてによる跡を残りにくく、快適な装着感を提供できるメガネ補助具およびメガネに関する。
【背景技術】
【０００２】
従来から、メガネは多くの人に使用されており、視力等の矯正を目的したものだけでなく、ファッションや演出用のアクセサリとしても多種多様のものが存在する。機能性を重視としたものは、紫外線による目の影響を抑えるサングラスや、パソコン使用時等に目の疲労を低減するものがあり、眼の保護を目的としたものを含めると多種のメガネがある。
【０００３】
これらのメガネには、通常、リム部に鼻あてが取り付けられており、鼻あては、メガネ装着時に鼻の側面上部にあたるようになっている。この鼻あてがメガネのレンズやフロント重量を支え、また、肌との摩擦によってメガネのズレを防止している。
【０００４】
ところが、鼻あては、外観を考慮して目立たないように小型に設計される場合が多く、肌に当たる面積が小さいものは肌への圧力が集中するため、長時間装着すると痛みを感じたり、鼻の上部分に鼻あての跡が残ってしまう場合がある。
【０００５】
近年では、鼻あての材質や形状ともに改善がなされており、フレーム・レンズ等の軽量化と相まって、鼻あて跡が残りにくくした製品も存在する。また、鼻ではなく他の部位でメガネを支持することで、鼻あて跡が残りにくい方法としては、例えば特許文献１、２が存在する。
【先行技術文献】
【特許文献】
【０００６】
【特許文献１】特開２００３−１０７４１４号公報
【特許文献２】国際公開第ＷＯ２００９／０９０７３３号公報
【発明の概要】
【発明が解決しようとする課題】
【０００７】
例えば、特許文献１では、メガネの弦にあて部を取付け、あて部が顔または側頭部に当接してフレームを支持している。しかし、特許文献１ではメガネの弦の長手方向の位置、或いは側頭部の上下方向の当接位置は可変できるものの、側頭部を押圧する力の調整機構がないため、押圧力が不足してメガネがズレてしまうおそれや、逆に押圧力が強く側頭部に痛みを感じるおそれがある。
【０００８】
また特許文献２では、メガネの弦にアタッチメントを装着して、コメカミ下部に滑り止め部を当てることによりメガネのフロント部を浮かせている。ところが、特許文献２では弦の太さによって滑り止め部の当てる位置を変えているだけなので、弦の種類によっては十分に対応できないおそれがある。
【０００９】
この発明は上記のことに鑑み提案されたもので、その目的とするところは、メガネの鼻あての跡が残りにくく、メガネと脱着可能なメガネ補助具およびメガネを提供することにある。
【課題を解決するための手段】
【００１０】
上記目的を達成するために本発明に係るメガネ補助具は、メガネの弦を挟持可能な挟持部と、前記メガネが掛けられる頭部側面と当接可能な当接部と、前記当接部と前記挟持部による前記弦の挟持位置との距離を調整可能な調整部と、を備える。
【００１１】
また、前記挟持部は、第１の挟持片と第２の挟持片が略対向して前記弦を挟むことで挟持可能であり、前記調整部は、一端が前記第１の挟持片と接続され、他端が前記当接部であり、前記挟持部と前記当接部の距離を前記第１の挟持片の延在する方向に対して略直交方向に調整可能としてもよい。
【００１２】
また、前記調整部は、雄ネジを有するシャフト部と、雌ネジを有するネジ穴部と、を備え、前記シャフト部は前記当接部を備え、前記ネジ穴部は一端が前記第１の挟持片と接続してもよい。
【００１３】
また、前記第２の挟持片は、前記シャフト部が貫通可能な貫通孔を有してもよい。
【００１４】
また、前記調整部は、ラックギアを有するラックバー部と、前記ラックギアと嵌合するロック部を有する移動部と、を備え、前記ラックバー部は一端が前記第１の挟持片と接続され、前記移動部は前記当接部を備えてもよい。
【００１５】
また、前記調整部は、一端が前記第１の挟持片と接続されるブロック支持部と、前記当接部を備える端部ブロックと、を備え、前記ブロック支持部と、前記端部ブロックの間に１又は複数の中間ブロックを挿嵌可能とすることで、前記挟持部と前記当接部の距離を調整可能としてもよい。
【００１６】
また、前記端部ブロックと前記中間ブロックは、磁力を有する永久磁石を含んで構成され、前記端部ブロックと前記中間ブロックは、磁力により接続されてもよい。
【００１７】
また、前記調整部は、前記挟持部に接続されるベースロッドと、前記ベースロッドに嵌入される中間ロッドと、前記中間ロッドに嵌入される前記当接部を備える端部ロッドと、備え、前記ベースロッドと前記中間ロッドの嵌入量及び／又は前記中間ロッドと前記端部ロッドの嵌入量を変化させることで前記挟持部と前記当接部の距離を調整可能としてもよい。
【００１８】
また、前記調整部は、パンタグラフ構造を有し、前記パンタグラフ構造は、前記第１の挟持片と接続されるベース部と、前記当接部を有し、前記ベース部から前記当接部に向かう方向に直交する方向のネジ機構を更に備え、当該ネジ機構の回転によって、前記パンタグラフ構造の形状を変化させることで前記挟持部と前記当接部の距離を調整可能としてもよい。
【００１９】
また、前記調整部は、第１のアームと、第２のアームと、前記第１のアームを前記第１の挟持片と可動可能に接続するアーム支持部と、前記第１のアームと前記第２のアームとを可動可能に接続するリンク機構を有してもよい。
【００２０】
また、前記挟持部は、第１の挟持片と第２の挟持片が略対向して前記弦を挟むことで挟持可能であり、前記調整部は、前記第１の挟持片と前記第２の挟持片が前記弦を挟持する位置を変更することにより前記弦と前記当接部の距離を調整可能としてもよい。
【００２１】
また、前記第１の挟持片及び／又は第２の挟持片の先端部には、カバー部を備えてもよい。
【００２２】
また、前記当接部は、２以上の突起部を有してもよい。
【００２３】
また、前記当接部は、ゴム、発泡ポリウレタン、又はエラストマを含んで構成してもよい。
【００２４】
また、前記当接部は、永久磁石が備えられてもよい。
【００２５】
また、上記目的を達成するために本発明に係るメガネは、上記のメガネ補助具が装着される。
【発明の効果】
【００２６】
以上のように本発明によれば、弦と頭部の側面との距離を可変でき、骨格や頭の大きさに応じて押圧力を調整できるため、メガネの装着性を向上させ、鼻あて部の跡が残りにくいメガネ補助具を提供することができる。
【図面の簡単な説明】
【００２７】
【図１】本発明の実施形態に係るメガネ補助具を装着したメガネの上面図である。
【図２】本発明の実施形態に係るメガネ補助具を装着した備えるメガネフレームの模式斜視図である。
【図３】本発明の実施形態に係るメガネ補助具を装着したメガネを人の頭部に架けた状態を示す正面図である。
【図４】本発明の実施形態に係るメガネ補助具を装着したメガネを人の頭部に架けた状態を示す上面図である。
【図５】（ａ）本発明の第１の実施例にかかるメガネ補助具の正面模式図であり、（ｂ）本発明の第１の実施例にかかるメガネ補助具の調整部を図５（ａ）に比べて短縮した状態の正面模式図である。
【図６】本発明の第１の実施例の変形例にかかるメガネ補助具の正面模式図である。
【図７】（ａ）本発明の第２の実施例にかかるメガネ補助具の正面模式図であり、（ｂ）本発明の第２の実施例にかかるメガネ補助具の調整部を（ａ）に比べて短縮した状態の正面模式図である。
【図８】（ａ）本発明の第３の実施例にかかるメガネ補助具の正面模式図であり、（ｂ）本発明の第３の実施例にかかるメガネ補助具の調整部を（ａ）に比べて短縮した状態の正面模式図である。
【図９】（ａ）本発明の第４の実施例にかかるメガネ補助具の正面模式図であり、（ｂ）本発明の第４の実施例にかかるメガネ補助具の調整部を（ａ）に比べて短縮した状態の正面模式図である。
【図１０】（ａ）本発明の第５の実施例にかかるメガネ補助具の正面模式図であり、（ｂ）本発明の第５の実施例にかかるメガネ補助具の調整部を（ａ）に比べて短縮した状態の正面模式図である。
【図１１】（ａ）本発明の第６の実施例にかかるメガネ補助具の正面模式図であり、（ｂ）本発明の第６の実施例にかかるメガネ補助具の調整部を（ａ）に比べて短縮した状態の正面模式図である。
【図１２】（ａ）本発明の第７の実施例にかかるメガネ補助具の正面模式図であり、（ｂ）は、本発明の第７の実施例にかかるメガネ補助具を当接部側からの視点で示した側面模式図である。
【図１３】（ａ）本発明の第８の実施例にかかるメガネ補助具の正面模式図であり、（ｂ）本発明の第８の実施例にかかるメガネ補助具の調整部を（ａ）に比べて短縮した状態の正面模式図である。
【図１４】（ａ）本発明の第９の実施例にかかるメガネ補助具の正面模式図であり、（ｂ）本発明の第９の実施例にかかるメガネ補助具の調整部を（ａ）に比べて短縮した状態の正面模式図である。
【図１５】（ａ）本発明の第９の実施例の変形例にかかるメガネ補助具の正面模式図であり、（ｂ）本発明の第９の実施例の変形例にかかるメガネ補助具を上方から見た上面模式図である。
【図１６】（ａ）本発明の第１０の実施例にかかるメガネ補助具の正面模式図であり、（ｂ）は、本発明の第１０の実施例にかかるメガネ補助具を上方から見た上面模式図である。
【図１７】（ａ）本発明の第１１の実施例にかかるメガネ補助具の正面模式図であり、（ｂ）本発明の第１１の実施例にかかるメガネ補助具を当接部側からの視点で示した側面模式図である。
【図１８】（ａ）本発明の第１２の実施例にかかるメガネ補助具の正面模式図であり、（ｂ）本発明の第１２の実施例にかかるメガネ補助具を当接部側と対向する方向の視点で示した側面模式図である。
【図１９】（ａ）本発明の第１３の実施例にかかるメガネ補助具の正面模式図であり、（ｂ）（ａ）で示したメガネ補助具を上方から見た場合の上面模式図である。
【図２０】（ａ）本発明の第１３の実施例にかかるメガネ補助具の当接部と弦の位置を図２０（ａ）に比べて短く調整した状態の正面模式図であり、（ｂ）（ａ）で示したメガネ補助具を上方から見た場合の上面模式図である。
【図２１】（ａ）本発明の第１３の実施例の変形例にかかるメガネ補助具を示す正面模式図であり、（ｂ）（ａ）で示したメガネ補助具を当接部側と対向する方向の視点で示した側面模式図である。
【発明を実施するための形態】
【００２８】
（全体構成）
本発明は、メガネの弦（テンプル）に着脱可能なメガネ補助具に関するものであり、メガネは一般的なメガネを対象とする。図１は、本発明の実施例に係るメガネ補助具１０を装着したメガネ１の上面図であり、図２は、実施形態に係るメガネ補助具１０を装着したメガネ１の斜視図である。メガネ１は、レンズ９を保持するリム６と、左右のリム６を接続するブリッジ５と、リムから延在するパッドアーム７と、パッドアームの先に保持される鼻パッド２と、左右に弦３と、弦の先にモダン４と、弦３とリム６の間に弦を折りたたむための支点となる丁番８からなる構成である。また、メガネ補助具１０が、左右の弦３に取り付けられた状態である。
【００２９】
図３は、メガネ１を人が装着した状態を示す正面図である。また図４は、メガネ１を人が装着した状態を示す、人の頭頂部から見た上面図である。すでに説明した要素については同じ符号を付し、説明を省略する。
【００３０】
（メガネ装着状態）
図３、図４において、メガネ補助具１０は、頭部１０１の側頭部のこめかみ１２１に当接している。そのため、メガネ１は、耳１１１にかけられたモダン４と、こめかみ１２１に当接した、弦３に取り付けられたメガネ補助具１０によって頭部１０１に保持されている。すなわち、鼻１３１に鼻パッド２が当接しない状態を保持することができる。
【００３１】
そのため、例えば、鼻パッドが装着された市販のメガネを使用している場合においても、当該メガネ補助具１０を必要に応じて弦３に装着することにより、鼻パッドが鼻にあたることを防止し、鼻あて部の跡が残りにくいようにすることができる。
【００３２】
以上説明した構成は、メガネ補助具１０の構造が、以下に説明する実施例１から８のいずれにおいても共通するものである。次に、メガネ補助具１０の構成の違いによる実施例について説明する。
【００３３】
（第１の実施例）
図５（ａ）は、本発明の第１の実施例にかかるメガネ補助具の正面模式図であり、図５（ｂ）は、本発明の第１の実施例にかかるメガネ補助具の調整部を図５（ａ）に比べて短縮した状態の正面模式図である。
【００３４】
図５（ａ）において、挟持部１１は、第１の挟持片１２と、第１の挟持片１２に対向する位置に配置される第２の挟持片１３が支点１４を中心に回動するように構成される。バネ１５は、第１の挟持片１２と第２の挟持片１３が閉じる方向に付勢力を生じさせる。バネ１５は、図に示す形態のバネのみでなく、板バネでも良いし、支点１４と同軸をなすコイルばねを用いても構わない。第１の挟持片１２と第２の挟持片１３は、滑り止め１９が表面に施されている。滑り止め１９は、図で示すように物理的な凹凸形状でも良いし、ゴムやエラストマのように、接触するものとの摺動抵抗を高める部材を配置しても構わない。これによって、挟持部１１は弦３に対して滑りにくく、位置の固定状態の安定性を高めることができる。
【００３５】
調整部２１は、第１の挟持片１２に接続された雌ネジが形成されたネジ穴部２２と、当該ネジ穴部に螺合する雄ネジが形成されたシャフト部２３と、シャフト部２３の端に当接部２９と、を含んで構成される。当接部２９を回転させることにより、シャフト部２３が回転し、シャフト部２３がネジ穴部２２にねじ込まれ、又は逆回転させることにより、ネジ穴部２２と当接部２９の距離を調整することができる。すなわち、挟持部１１が挟持する弦３と当接部２９の距離を調整することができる。
【００３６】
当接部２９は、側頭部のこめかみに当たる部分である。なお、当接部２９は、こめかみの肌に当たっても痛みがないよう、ゴムや、発泡ポリウレタン、又はエラストマ等の柔軟性のある材料で構成されていても良いし、痛みがないよう形状に加工したものでもよい。
【００３７】
挟持部１１や調整部２１は、軽量であって衝撃に強い材質で構成されることが望ましい。例えば、金属材料であれば、チタンや軽量ステンレス、アルミ等を用いてもよく、非金属材料であれば、例えば、ＰＰ、ＰＳ、ＰＭＭＡ、ポリカーボネイト等を用いてもよい。材質については限定するものではない。
【００３８】
（メガネへの取付け）
挟持部１１は、第１の挟持片１２と第２の挟持片１３が、メガネ１の弦３を挟むことにより着脱可能である。調整部２１は、メガネ１に装着する前にネジ穴部２２と当接部２９の距離を調整してもよいし、メガネ１に装着後にネジ穴部２２と当接部２９の距離を調整してもよい。
【００３９】
メガネ補助具１０をメガネの弦３へ取付けするときは、挟持部１１が開き、弦３の一部を挟む。取付け位置は、弦３の丁番８に近い部分に挟持部１１を取付けする。また、取付け位置は装着後でも調整可能できるので、大まかな位置でよい。
【００４０】
（メガネの装着）
弦３にメガネ補助具１０を取付けた状態で、通常のメガネと同様に装着する。支持部は装着前に短い状態にしておく。支持部が伸びた状態で装着すると、側頭部に引っかかる場合があるため、装着後で支持部を伸ばして調整する方法が望ましい。
【００４１】
メガネの鼻あて２が鼻の上部に当たっている状態で、いずれか片方の弦３を片手で持ち上げ、鼻あてを鼻から浮かせた状態にする。そして、反対の手で、調整部２１のシャフト部２３を回転させる。シャフト部２３の回転量によって側頭部への押圧力が変化するので、当接部２９が側頭部のこめかみ１２１周辺に当たるように位置を合わせ、違和感のない押圧力となるところでシャフト部２３の回転を止める。
【００４２】
このとき、メガネは、頭部の左右で均等となる位置にくるように左右のシャフト部２３を調整する。一方に偏ってしまった場合は、左右のメガネ補助具１０のシャフト部２３を同時に同方向に回転させる。このようにして、押圧力を変化させずに、顔の左右方向のメガネ１の位置を調整することができる。
【００４３】
なお、シャフト部２３には、ナット（不図示）を設けても構わない。位置を決めた後に回転して位置が変わらないように、ナットを締め付けても良い。また、ナットを２個以上使用して、ナットが互いに締まるようにして固定してもよい。また、ネジ穴部２２とシャフト部２３の螺合関係のクリアランスギャップを狭くとることにより、シャフト部２３の回転の抵抗とし、メガネ１を人が装着した状態においてシャフト部２３が容易に回転することを防止するようにしてもよい。また、別途回転の抵抗となる部材を取付けてもよい。
【００４４】
一方、側頭部に当接部２９が当たる位置を調整する場合は、挟持部１１の位置を変化させることにより行う。側頭部の高さ方向の位置を調整する場合は、弦３への挟持部１１の挟み込み位置を変えて調整する。また、側頭部の前後方向の位置を調整する場合は、弦３の長手方向の挟み込み位置を変えて調整する。
【００４５】
以上説明したように、挟持部１１は、第１の挟持片１２と第２の挟持片１３が、メガネ１の弦３を挟むことにより着脱可能である。調整部２１は、メガネ１に装着する前にネジ穴部２２と当接部２９の距離を調整してもよいし、メガネ１に装着後にネジ穴部２２と当接部２９の距離を調整してもよい。
【００４６】
このようにして、メガネ１をかけようとする人は、挟持部１１が、弦３を挟持した位置を弦の挟持位置として、挟持位置と当接部２９の距離を調整することができる。すなわち、メガネ補助具１０のこめかみに当たる当たり具合を、ネジの回転により容易に調整し、押圧力を調整することができる。それにより、メガネの種類や、人の骨格や頭の大きさに応じて押圧力を調整できるため、メガネの装着性を向上させ、鼻あて部の跡が残りにくいメガネ補助具を提供することができる。
【００４７】
なお、上記説明してきた第２の挟持片１３を、図６で示すようにバネ１６で置き換えて第２の挟持片として機能させても構わない。図６は、本発明の第１の実施例の変形例にかかるメガネ補助具の正面模式図である。バネ１６は、第１の挟持片１２と第２の挟持片１３が閉じる方向に付勢力を生じさせる。そのため、図５（ａ）で示したようにバネ１５を別途設ける必要がない。また、バネ１６には、その表面に滑り止め１９が表面に施すことができる。滑り止め１９は、図で示すように物理的な凹凸形状でも良いし、ゴムやエラストマのように、接触するものとの摺動抵抗を高める部材を配置しても構わない。
【００４８】
（第２の実施例）
図７（ａ）は、本発明の第２の実施例にかかるメガネ補助具の正面模式図であり、図７（ｂ）は、本発明の第２の実施例にかかるメガネ補助具の調整部を図７（ａ）に比べて短縮した状態の正面模式図である。
【００４９】
図７（ａ）、図７（ｂ）において、挟持部１１は、第１の実施例とほぼ同じ構成であるが、第２の挟持片に貫通孔２６を有している。また第１の挟持片には、これも貫通したネジ穴部２４を有している。ネジ穴部２４に螺合したシャフト部２５は、ねじ込まれることにより、ネジ穴部２４を貫通して、第２の挟持片の貫通孔２６も貫通することができる。これにより、シャフト部２５のストロークを大きく取ることができ、挟持位置と当接部２９の距離の調整の自由度を大きくすることができる。
【００５０】
（第３の実施例）
図８（ａ）は、本発明の第３の実施例にかかるメガネ補助具の正面模式図であり、図８（ｂ）は、本発明の第３の実施例にかかるメガネ補助具の調整部を図８（ａ）に比べて短縮した状態の正面模式図である。
【００５１】
図８（ａ）、図８（ｂ）において、挟持部１１は、第１の実施例と同じ構成である。調整部２１は、ラックバー部３２とラックバー部３２に沿って移動可能な移動部３４とから構成される。移動部３４が移動することで、調整部２１の長さを調整することができる。ラックバー部３２には、ラックギア３３が配置され、また移動部３４には、ラックギア３３と噛み合い、移動部３４の移動を規制するロック部３５が備えられる。ロック部３５を引き上げ、ラックギア３３との噛み合いを解除することで、移動部３４を移動することができる。移動部３４はラックギア３３に応じた位置で自由に固定することができる。
【００５２】
これにより、挟持位置と移動部３４に設けられた当接部２９との距離を回転動作を伴わずに調整することができる。
【００５３】
（第４の実施例）
図９（ａ）は、本発明の第４の実施例にかかるメガネ補助具の正面模式図であり、図９（ｂ）は、本発明の第４の実施例にかかるメガネ補助具の調整部を図９（ａ）に比べて短縮した状態の正面模式図である。
【００５４】
図９（ａ）、図９（ｂ）において、挟持部１１は、第１の実施例と同じ構成である。調整部２１は、第１の挟持片１２に接続されたブロック支持部４２と、当接部２９を有する端部ブロック４３とを含んで構成される。図９（ａ）においては、更に２つの中間ブロック４４が、ブロック支持部４２と端部ブロック４３の間に挿嵌されている。ブロック支持部４２には圧入突部４６が設けられ、ブロック支持部４２には圧入穴部４５が設けられている。また、中間ブロック４４は、圧入穴部４５と圧入突部４６が設けられている。圧入突部４６が他のブロックの圧入穴部に圧入されることで、各ブロックは固定される。各ブロックは圧入状態により固定されているため、人が容易に着脱可能である。そのため、人は、中間ブロック４４を嵌入するか、また、嵌入する個数を適宜調整することで、調整部２１の長さを調整することができる。なお、ブロック支持部４２、は第１の挟持片１２から必ずしも突出している必要はなく、第１の挟持片１２と一体に構成しても構わない。
【００５５】
これにより、挟持位置と端部ブロック４３に設けられた当接部２９との距離を調整することができる。
【００５６】
（第５の実施例）
図１０（ａ）は、本発明の第５の実施例にかかるメガネ補助具の正面模式図であり、図１０（ｂ）は、本発明の第５の実施例にかかるメガネ補助具の調整部を図１０（ａ）に比べて短縮した状態の正面模式図である。
【００５７】
図１０（ａ）、図１０（ｂ）において、挟持部１１は、第４の実施例と同じ構成である。また、調整部２１は、基本的な構成としては第４の実施例と同じであり、第１の挟持片に接続されたブロック支持部５２と、当接部２９を有する端部ブロック５３とを含んで構成される。図１０（ａ）においては、更に２つの中間ブロック５４が、ブロック支持部５２と端部ブロック５３の間に挿嵌されている。ブロック支持部５２と、端部ブロック５３と、中間ブロック５４は、それぞれ磁性を有する永久磁石で構成されている。各永久磁石の極性は、調整部２１の長さを調整可能な方向に対して直交する方向にＮとＳの極を有するものであり、ブロックは接続する場合には、極性が反転するように配置することにより、磁力により各ブロックが接続される。そのため、人は、中間ブロック５４を嵌入するか、また、嵌入する個数を適宜調整することで、調整部２１の長さを調整することができる。さらに、磁気の極性が近傍で相殺するため、メガネ補助具１０の近傍に対する磁束の漏れを抑制することができる。
【００５８】
（第６の実施例）
図１１（ａ）は、本発明の第６の実施例にかかるメガネ補助具の正面模式図であり、図１１（ｂ）は、本発明の第６の実施例にかかるメガネ補助具の調整部を図１１（ａ）に比べて短縮した状態の正面模式図である。
【００５９】
図１１（ａ）、図１１（ｂ）において、挟持部１１は、第５の実施例と同じ構成である。また、調整部２１は、基本的な構成としては第５の実施例と同じであり、第１の挟持片に接続されたブロック支持部５５と、当接部２９を有する端部ブロック５６とを含んで構成される。図１１（ａ）においては、更に２つの中間ブロック５７が、ブロック支持部５５と端部ブロック５６の間に挿嵌されている。ブロック支持部５５と、端部ブロック５６と、中間ブロック５７は、それぞれ磁性を有する永久磁石で構成されている。各永久磁石の極性は、調整部２１の長さを調整可能な方向に対して平行な方向にＮとＳの極を有するものである。ブロックは接続する場合には、極性が同じ方向に配置することにより、磁力により各ブロックが接続される。そのため、人は、中間ブロック５４を嵌入するか、また、嵌入する個数を適宜調整することで、調整部２１の長さを調整することができる。さらに、端部ブロック５６の当接部２９側が、磁束が漏れるため、当接部２９に当接するこめかみに対して、磁気による血行促進効果等の効果を期待することができる。なお、当該効果は、上述した他の実施例において、当接部２９に永久磁石を備えた場合であっても同様である。
【００６０】
（第７の実施例）
図１２（ａ）は、本発明の第７の実施例にかかるメガネ補助具の正面模式図であり、図１２（ｂ）は、本発明の第７の実施例にかかるメガネ補助具を当接部側からの視点で示した側面模式図である。
【００６１】
図１２（ａ）、図１２（ｂ）において、挟持部１１は、第５の実施例と同じ構成である。また、調整部２１は、中間ブロック５８と当接部２９を有する端部ブロック５６とを含んで構成される。端部ブロック５６と、中間ブロック５７は、それぞれ磁性を有する永久磁石で構成されている。第１の挟持片１２は、鉄、ニッケル、コバルト等の磁力により中間ブロック５７を引き寄せる部材を含んで構成される。これにより、調整部２１は、磁力により第１の挟持片１２に接続される。そのため、調整部２１は、第１の挟持片の任意の位置に配置することができる。また、第１の挟持片１２はガイドレール１７を設けても構わない。調整部２１はガイドレールで挟まれた規制された領域で位置を動かすことができる。これにより、メガネを装着する際や、メガネを装着した状態で、調整部２１が第１の挟持片１２から脱落しにくくすることができる。
【００６２】
（第８の実施例）
図１３（ａ）は、本発明の第８の実施例にかかるメガネ補助具の正面模式図であり、図１３（ｂ）は、本発明の第８の実施例にかかるメガネ補助具の調整部を図１３（ａ）に比べて短縮した状態の正面模式図である。
【００６３】
図１３（ａ）、図１３（ｂ）において、挟持部１１は、第１の実施例と同じ構成である。また、調整部２１は、第１の挟持片に接続されたベースロッド６２と、当接部２９を有する端部ロッド６３と、中間ロッド６４を含んで構成される。ベースロッド６２、中間ロッド６４は径の異なる中空のパイプからなり、太いパイプに細いパイプが挿管されて構成されている。図１３（ｂ）は調整部２１が収縮したときの内部構造を示している。このとき、ベースロッド６２と、中間ロッド６４と端部ロッド６３は入れ子構造となるようにして収縮する。そのため、人は、中間ロッド６４の挿管の深さ（嵌入量）に応じて、調整部２１の長さを調整することができる。なお、太いパイプに細いパイプが挿管さるクリアランスギャップを狭く取ることで、摺動抵抗を増やし、延ばした調整部２１の長さが容易に縮まないようにすることができる。また、別途ロック機構を設けても構わない。
【００６４】
（第９の実施例）
図１４（ａ）は、本発明の第８の実施例にかかるメガネ補助具の正面模式図であり、図１４（ｂ）は、本発明の第８の実施例にかかるメガネ補助具の調整部を図１４（ａ）に比べて短縮した状態の正面模式図である。
【００６５】
図１４（ａ）、図１４（ｂ）において、挟持部１１は、第１の実施例と同じ構成である。また、調整部２１は、第１の挟持片に、べース部７２で接続されたパンタグラフ構造７３を備え、ベース部７２の他端に当接部２９を有するものである。パンタグラフ構造７３は少なくとも４本のアームにより構成されるひし形の形状の構造であり、アームはそれぞれ可動可能に接続されており、アームの接続状態の角度を変化さえることで、パンタグラフ構造７３の形状を変化させることができる。また、調整部２１は、ベース部７２から当接部２９に向かう方向に直交する方向の調整ネジ（ネジ機構）７５を備える。調整ネジ７５は、調整つまみ７４と一体となって回転し、人が調整つまみを回転させることによって、パンタグラフ構造７３の形状を変化させることで挟持部１１と当接部２９の距離を調整することができる。
【００６６】
調整つまみ７４は、調整部２１の伸縮方向に対して直交して配置されているため、人はメガネ１を装着した後において、調整つまみ７４を容易に回転させることができ、弦３と当接部２９の距離を調整することができる。
【００６７】
図１５（ａ）は、本発明の第９の実施例の変形例にかかるメガネ補助具の正面模式図であり、図１５（ｂ）は、本発明の第９の実施例の変形例にかかるメガネ補助具を上方から見た上面模式図である。
【００６８】
図１５（ａ）、図１５（ｂ）に示すように、図１５（ａ）、図１５（ｂ）の構成に対して、パンタグラフ構造７３を９０度回転させて、弦３の延在方向と、パンタグラフ構造の変形する方向、すなわち調整ネジが延在する方向を揃えるように構成しても構わない。このように構成することにより、人がメガネを装着した際に、パンタグラフ構造７３や、調整ネジ７５が弦３のシルエットに隠れ、メガネ補助具１０を目立たなくすることができる。
【００６９】
（第１０の実施例）
図１６（ａ）は、本発明の第１０の実施例にかかるメガネ補助具の正面模式図であり、図１６（ｂ）は、本発明の第１０の実施例にかかるメガネ補助具を上方から見た上面模式図である。
【００７０】
調整部２１は、第１のアーム７７と第２のアーム７９と、アーム支持部７６、リンク機構７８で構成されている。第１のアーム７７は第１の挟持片１２とアーム支持部７６で可動可能に接続されている。また、第１のアーム７７と第２のアーム７９は、リンク機構７８を支点に屈曲可能に接続されており、屈曲時の角度によって挟持部１１と当接部２９の距離を調整することができる。また、第２のアームと当接部２９は、自在継手で接続しても構わない。屈曲時は第１のアーム７７及び第２のアーム７９が弦３の延在方向に沿って変形するため、第１のアーム７７及び第２のアーム７９が目立たなくなり、メガネ補助具を取付けても自然な印象を与えることができる。アーム支持部７６とリンク機構７８は、可動可能に構成されているが、例えば、摺動抵抗により動きを規制したり、別途ネジで締め付けることによって、動きを規制するように構成しても構わない。
（第１１の実施例）
図１７（ａ）は、本発明の第１１の実施例にかかるメガネ補助具の正面模式図であり、図１７（ｂ）は、本発明の第１１の実施例にかかるメガネ補助具を当接部側からの視点で示した側面模式図である。
【００７１】
第１１の実施例は、これまで説明してきた実施例に対して、当接部２９の形状が異なる。第１１の実施例に係る当接部２９’は、本実施例において４か所の突起で構成されており、こめかみや側頭部に当接する圧力を４点に分散することで、１点に当接する圧力が集中することがなく、装着時の違和感を軽減することができる。当該突起は２以上であれば、いくつであっても構わない。また、当接部２９’は、例えばゴムサックのような別部品で構成され、上述してきた実施例の当接部２９に被せるように構成しても構わない。
【００７２】
（第１２の実施例）
図１８（ａ）は、本発明の第１２の実施例にかかるメガネ補助具の正面模式図であり、図１８（ｂ）は、本発明の第１２の実施例にかかるメガネ補助具を当接部側と対向する方向の視点で示した側面模式図である。
【００７３】
第１２の実施例は、これまで説明してきた実施例に対して、第２の挟持片１３に、飾りであるチャーム１８を取り付けたことが異なる。チャーム１８は、第２の挟持片１３と一体に構成されても良いし、磁石によって第２の挟持片１３に取り付けても良いし、また、第２の挟持片１３から突出する突起と、チャーム１８に設けられた穴部の嵌め合いによって取り付けても良い。また、第２の挟持片１３に切り欠きを設け、チャーム１８に設けられた突起を切り欠き部の嵌め合うことで取り付けても良い。
【００７４】
（第１３の実施例）
図１９（ａ）は、本発明の第１３の実施例にかかるメガネ補助具の正面模式図であり、図１９（ｂ）は、図１９（ａ）で示したメガネ補助具を上方から見た場合の上面模式図である。また、図２０（ａ）は本発明の第１３の実施例にかかるメガネ補助具の当接部２９と弦３の位置を図１９（ａ）に比べて短く調整した状態の正面模式図であり、図２０（ｂ）は、図２０（ａ）で示したメガネ補助具を上方から見た場合の上面模式図である。
【００７５】
図１９（ａ）、図２０（ｂ）において、挟持部１１は、第１の挟持片１２と第２の挟持片１３が略対向して弦３を挟むことで挟持可能であり、かつ、挟持部１１は、調整部２１としても機能する。すなわち、第１の挟持片１２と第２の挟持片１３が弦３を挟持する位置を変更することにより弦３と当接部２９の距離が調整可能となる。使用者は、対向する当接部２９をつまむことにより、支点１４を中心として第１の挟持片１２と第２の挟持片１３の間隔を広げ、弦３を挟持する位置を調整することができる。
【００７６】
また、第１の挟持片１２と第２の挟持片１３は、滑り止め１９が表面に施されている。滑り止め１９は、図で示すように突起の突出量を各挟持片の先端方向に向かう程大きくすることができる。すなわち、支点１４からの距離が遠いほど突出量を大きくすることで、支点からの距離によるテコ比の影響により弦３の把持力が弱まるような場合でも、把持力を実質的に保持することができる。また、弦３の幅を挟み込めるピッチで突起を配置することで、突起が弦３に引っかかり、こめかみに対する押圧力に対する反力で、挟持部１１が弦３からずれることを防止することができる。なお、バネ１５の強度を強くすることで、ゴムやエラストマのように、接触するものとの摺動抵抗を高める部材を配置しても構わない。これによって、挟持部１１は弦３に対して滑りにくく、位置の固定状態の安定性を高めることができる。なお、当接部２９は、本実施例において４か所で構成されており、こめかみや側頭部に当接する圧力を４点に分散することで、１点に当接する圧力が集中することがなく、装着時の違和感を軽減することができる。
【００７７】
図２１（ａ）は、本発明の第１３の実施例の変形例にかかるメガネ補助具を示す正面模式図であり、図２１（ｂ）は、図２１（ａ）で示したメガネ補助具を当接部側と対向する方向の視点で示した側面模式図である。
【００７８】
第２の挟持片１３の先端部分、すなわち支点１４と反対側の端部には、カバー部２０が設けられている。カバー部２０は、メガネ補助具を当接部側と対向する側、すなわち、メガネ補助具１０をメガネ１に装着した場合に、頭部１０１の反対側で、他者から見える側に配置されることになる。そのため、第１の挟持片１２と第２の挟持片１３の内側に配された滑り止め１９が他者から見えることを防止することができる。また、カバー部２０には、図２１で示すように飾りであるチャーム１８を取り付けることができる。なお、カバー部２０は、第１の挟持片１２に設けても構わないし、第１の挟持片１２と第２の挟持片１３の両方に設けても構わない。
【００７９】
以上各実施例で説明したように、本発明かかるメガネ補助具１０によれば、メガネ１の重量を側頭部に当接して支持するため、鼻の上部に鼻あての跡が残りにくくなる。また、メガネの弦と頭部の側面との距離を可変可能であり、骨格や頭の大きさに応じて圧力を調整できるため、快適な装着感を得ることができる。また、メガネ補助具１０は、様々なメガネと着脱可能であるため、複数のメガネを使い分ける際に、容易に押圧力を調整することができる本発明の構成は望ましいものである。
【００８０】
その他、本発明はその趣旨を逸脱しない範囲内で、当業者の知識に基づき種々なる改良、修正、変形を加えた態様で実施しうるものである。
【００８１】
また、上記実施形態のメガネ補助具１０は、調整部２１の伸縮は弦３に対して垂直な方向となっているが、角度を設けてこめかみや側頭部に当接してもよい。
【符号の説明】
【００８２】
１      メガネ
２      鼻パッド
３      テンプル（弦）
４      モダン
５      ブリッジ
６      リム
７      箱足
８      丁番
９    レンズ
１０    メガネ補助具
１１    挟持部
１２    第１の挟持片
１３    第２の挟持片
１４    支点
１５、１６    ばね
１７    ガイドレール
１８    チャーム（飾り）
１９    滑り止め
２０    カバー部
２１    調整部
２２、２４    ネジ穴部
２３、２５    シャフト部
２６    貫通孔
２９、２９’    当接部
３２    ラックバー部
３３    ラックギア
３４    移動部
３５    ロック部
４２、５２、５５    ブロック支持部
４３、５３、５６    端部ブロック
４４、５４、５７    中間ブロック
４５    圧入穴部
４６    圧入突部
６２    ベースロッド
６３    端部ロッド
６４    中間ロッド
７２    ベース部
７３    パンタグラフ構造
７４    調整つまみ
７５    調整ネジ
７６    アーム支持部
７７    第１のアーム
７８    リンク機構
７９    第２のアーム
１０１    頭部
１１２    耳
１２１    こめかみ
１３１    鼻
【図１】
2020144290.tif 000003
【図２】
2020144290.tif 000004
【図３】
2020144290.tif 000005
【図４】
2020144290.tif 000006
【図５】
2020144290.tif 000007
【図６】
2020144290.tif 000008
【図７】
2020144290.tif 000009
【図８】
2020144290.tif 000010
【図９】
2020144290.tif 000011
【図１０】
2020144290.tif 000012
【図１１】
2020144290.tif 000013
【図１２】
2020144290.tif 000014
【図１３】
2020144290.tif 000015
【図１４】
2020144290.tif 000016
【図１５】
2020144290.tif 000017
【図１６】
2020144290.tif 000018
【図１７】
2020144290.tif 000019
【図１８】
2020144290.tif 000020
【図１９】
2020144290.tif 000021
【図２０】
2020144290.tif 000022
【図２１】
2020144290.tif 000023